(57)【要約】【課題】デバイスに対する処理負荷が一定期間集中した場合でも電源電圧ＶＤＤを直接的に補正することなく、このデバイスから出力される出力信号を一定の水準に保つことが可能な表示装置を提供する。【解決手段】アナログ信号とデジタル信号とを処理する信号処理デバイスを有する表示装置において、前記信号処理デバイスに供給される電源電圧の電圧値を検出する検出手段と、検出された電圧値をもとに前記電源電圧の変動を判定する判定手段と、前記変動が所定の閾値以上である場合は、前記信号処理デバイスにおける処理タイミングを拡散させる負荷拡散手段と、を有する構成としてある。【選択図】図２
2011227812.tif 000002
【特許請求の範囲】
【請求項１】
アナログ信号とデジタル信号とを処理する信号処理デバイスを有する表示装置において、
前記信号処理デバイスに供給される電源電圧の電圧値を検出する検出手段と、
検出された電圧値をもとに前記電源電圧の変動を判定する判定手段と、
前記変動が所定の閾値以上である場合は、前記信号処理デバイスにおける処理タイミングを拡散させる負荷拡散手段と、を有することを特徴とする表示装置。
【請求項２】
前記検出手段は、電源回路から供給される電源電圧を分圧して検出することを特徴とする請求項１に記載の表示装置。
【請求項３】
前記信号処理デバイスは、
放送波を復調するフロントエンド部と、
前記復調された放送信号を信号処理するバックエンド部と、を備え、
所定データーをアクセス可能に記録するメモリーと接続されていることを特徴とする請求項１又は請求項２のいずれかに記載の表示装置。
【請求項４】
前記負荷拡散手段は、前記電源電圧の変動が前記閾値以下になった場合は、前記各処理の処理タイミングを元に戻すことを特徴とする請求項１から請求項３のいずれか一項に記載の表示装置。
【請求項５】
前記検出手段は、電源回路から供給される電源電圧を分圧して検出し、
前記信号処理デバイスは、
放送波を復調するフロントエンド部と、
前記復調された放送信号を信号処理するバックエンド部と、を備え、
所定データーをアクセス可能に記録するメモリーと接続され、
前記負荷拡散手段は、前記電源電圧の変動が前記閾値以下になった場合は、前記各処理の処理タイミングを元に戻すことを特徴とする請求項１に記載の表示装置。
【発明の詳細な説明】
【技術分野】
【０００１】
本発明は、表示装置に関し、特に、アナログ信号とデジタル信号とを処理する信号処理デバイスを有する表示装置に関する。
【背景技術】
【０００２】
表示装置にはアナログとデジタルのそれぞれの回路を有する信号処理デバイスを備えるものが知られている。例えば、このような信号処理デバイスは、電源回路から供給される電源電圧ＶＤＤをもとに、アナログ信号やデジタル信号に対して所定の信号処理を施す。
【０００３】
上記信号処理デバイスにおいては、処理負荷が一定期間に集中した場合に、その内部で電圧降下が発生する場合があった。図５は、信号処理デバイス内に供給される電源電圧ＶＤＤと、信号処理デバイス内に流れる電流Ｉとの関係を示す図である。図に示すように、信号処理デバイスの内部で処理負荷が一定期間集中すると、この処理に応じて内部に流れる電流Ｉの値が変動する。すると、この電流Ｉの変化に応じて電源電圧ＶＤＤが変動を起こす。上記した電源電圧ＶＤＤの変動は場合によってはノイズのもととなり、信号処理デバイスから出力される出力信号にこのノイズが重畳するなどして装置が正常に駆動しない場合もあった。
【０００４】
そのため、デバイスに対する処理負荷が集中した場合に、電源電圧ＶＤＤの変動を補償する電源電圧ＶＤＤを制御することで、このデバイスから出力される信号を一定の基準に保つ装置が開示されている（例えば、特許文献１−５参照。）。
【先行技術文献】
【特許文献】
【０００５】
【特許文献１】特開２００２−１４２３５６号公報
【特許文献２】特開２００８−２６２３７０号公報
【特許文献３】特開平１０−２８２４６９号公報
【特許文献４】特開平５−１１５１２３号公報
【特許文献５】特開２００５−１６８１６９号公報
【発明の概要】
【発明が解決しようとする課題】
【０００６】
従来の技術では、電源電圧ＶＤＤの値を補正することで信号処理デバイスから出力される出力信号を一定の基準に保つものは存在するが、電源電圧ＶＤＤを補正することなく出力信号を一定の基準に保つものは開示されていない。
【０００７】
本発明は、上記課題にかんがみてなされたもので、デバイスに対する処理負荷が一定期間集中した場合でも電源電圧ＶＤＤを直接的に補正することなく、このデバイスから出力される出力信号を一定の水準に保つことが可能な表示装置の提供を目的とする。
【課題を解決するための手段】
【０００８】
上記課題を解決するために、本発明では、アナログ信号とデジタル信号とを処理する信号処理デバイスを有する表示装置において、前記信号処理デバイスに供給される電源電圧の電圧値を検出する検出手段と、検出された電圧値をもとに前記電源電圧の変動を判定する判定手段と、前記変動が所定の閾値以上である場合は、前記信号処理デバイスにおける処理タイミングを拡散させる負荷拡散手段と、を有する構成としてある。
【０００９】
上記のように構成された発明では、検出手段が信号処理デバイスに供給される電源電圧の電圧値を検出すると、判定手段は、検出された電圧値をもとに電源電圧の変動を判定する。このとき、信号処理デバイスの処理負荷が集中する期間には、内部に流れる電流が増加し電源電圧が変動するため、負荷拡散手段は判定した電圧変動が所定の閾値以上である場合は、この状態を処理負荷が集中している状態であると判断し、信号処理デバイスにおける処理タイミングを拡散させる。
そのため、信号処理デバイス側の内部処理により、処理タイミングを拡散させることで処理負荷の集中を緩和し、電圧変動を低減させることができる。
【００１０】
また、検出手段が電源電圧を検出する手法の一例として、前記検出手段は、電源回路から供給される電源電圧を分圧して検出する構成としてもよい。
上記のように構成された発明では、供給される電源電圧の値が大きい場合でも、分圧によって検出手段が処理できる電圧値にまで下げることができる。
【００１１】
そして、信号処理デバイスの一例として、前記信号処理デバイスは、放送波を復調するフロントエンド部と、前記復調された放送信号を信号処理するバックエンド部と、を備え、所定データーをアクセス可能に記録するメモリーと接続されている構成としてもよい。
上記のように構成された発明では、信号処理デバイスが、フロントエンド部、バックエンド部の機能を有し、更にはメモリーとのアクセスを可能にする構成である場合に、本発明の機能を適用することにより、信号処理デバイスから出力される出力信号により生成される映像の画質を一定に保つことができる。
【００１２】
さらに、前記負荷拡散手段は、前記電源電圧の変動が前記閾値以下になった場合は、前記各処理の処理タイミングを元に戻す構成としてもよい。
電源電圧の変動は一定の期間において生じるものであり、変動が収束した場合は、各処理のタイミングを元に戻すことで、全処理に要する時間と出力信号に対する補償とをバランス良く実行することができる。
ここで、処理タイミングを元に戻すとは、例えば連続して処理されるＡ，Ｂ，Ｃの処理において、Ｂ，Ｃの処理タイミングを遅延させることで拡散させる場合に、Ａの処理実行中に電源電圧の変動が収束すると、Ｂ、Ｃの処理タイミングを元に戻すということである。
【００１３】
また、本発明の他の局面として、前記検出手段は、電源回路から供給される電源電圧を分圧して検出し、前記信号処理デバイスは、放送波を復調するフロントエンド部と、前記復調された放送信号を信号処理するバックエンド部と、を備え、所定データーをアクセス可能に記録するメモリーと接続され、前記負荷拡散手段は、前記電源電圧の変動が前記閾値以下になった場合は、前記各処理の処理タイミングを元に戻す構成としてもよい。
【発明の効果】
【００１４】
以上説明したように本発明によれば、信号処理デバイス側の内部処理により、電圧変動を低減させることができ、出力信号を一定の基準に保つことができる。
また請求項２にかかる発明によれば、供給される電源電圧の値が大きい場合でも、本発明を実施することができる。
そして請求項３にかかる発明によれば、出力された映像の画質を一定に保つことができる。
さらに請求項４にかかる発明によれば、全処理に要する時間と出力信号に対する補償とをバランス良く実行することができる。
【図面の簡単な説明】
【００１５】
【図１】本実施形態に係る表示装置１００の構成を示すブロック構成図である。
【図２】メインＩＣの機能を示す機能ブロック図である。
【図３】負荷拡散部９３ｂによる処理の拡散を説明するための図である。
【図４】表示装置１００における全体処理の流れを説明するためのフローチャートである。
【図５】信号処理デバイス内を流れる電源電圧ＶＤＤと、電流Ｉとの関係を示す図である。
【発明を実施するための形態】
【００１６】
以下、図を参照しつつ下記の順序に従って本発明の実施形態を説明する。
１．第１の実施形態：
２．その他の実施形態：
【００１７】
１．第１の実施形態：
（１）実施形態の概要：
以下、図を参照して、この発明に係る表示装置を具体化した第１の実施の形態について説明する。図１は、本実施形態に係る表示装置１００の構成を示すブロック構成図である。また、図２は、メインＩＣの機能を示す機能ブロック図である。
【００１８】
本実施形態に係る表示装置１００は、液晶型の表示パネル７０を供える表示装置であり、図示しないアンテナや外部入力端子を介して取得されたビデオデーター、及びＳＩ情報等のデーターをメインＩＣ９０により信号処理した後、処理後のデーターをもとに映像／音声を出力する。
【００１９】
また、本実施形態に係る表示装置１００は、メインＩＣ（信号処理デバイス）９０における処理負荷が一定期間集中する場合において、メインＩＣ９０内部に流れる電流Ｉが変動し電源電圧ＶＤＤが変動する場合でも、電圧変動を軽減させることができる。具体的には、メインＩＣ９０が複数の処理を並列して（又は同時に）行なう場合、各処理の実行タイミングをずらすことで、処理負荷の集中を低減させ、電源電圧ＶＤＤの変動を低減する。
【００２０】
（２）表示装置１００の構成：
本実施形態にかかる表示装置１００は、メインＩＣ９０と、ドライバー８０と、表示パネル７０と、メインメモリー６０と、検出部（検出手段）５０と、電源回路４０と、を備えて構成されている。また、表示装置１００を構成する各部は、バスを介して接続されており、メインＩＣ９０の制御のもと表示装置１００の各機能を実現する。
【００２１】
メインＩＣ９０は、図示しないアンテナや外部入力端子を介して取得したデーターに対して所定の信号処理を施す。メインＩＣ９０は、アンテナを介して取得されたアナログ信号を復調してデジタルのビデオデーターを抽出するフロントエンド部９１、フロントエンド部９１が復調したビデオデーター又は図示しない外部入力端子を介して取得されたビデオデーターに対して所定の信号処理を施すバックエンド部９２、表示装置１００の全体の駆動を制御する制御部９３を備えている。
【００２２】
制御部９３は、演算を行うＣＰＵや、このＣＰＵが演算を行うためのプログラム等を記録したＲＯＭを備えて構成される。そのため、制御部９３は、ＲＯＭに記録されたプログラムを実行することにより、変動状態判定部（判定手段）９３ａ、負荷拡散部（負荷拡散手段）９３ｂの機能を実現する。また、制御部９３は、ＤＤＲＲＡＭ等により構成されたメインメモリー６０と接続しており、このメインメモリー６０をワークエリアとして使用する。
【００２３】
変動状態判定部９３ａは、検出部５０から出力される電圧値に応じて、電源回路４０から供給される電源電圧ＶＤＤの変動状態を判定する。即ち、検出部５０から出力された電源電圧ＶＤＤの値（図５）を示す検出信号を所定の電圧値を示す閾値Ｔｈと比較し、この比較結果に応じて電源電圧ＶＤＤの変動状態を判定する。
【００２４】
負荷拡散部９３ｂは、変動状態判定部９３ａによる判定結果に従って、メインＩＣ９０が実行する各処理を拡散させる。ここで、メインＩＣ９０により実行される処理としては、フロントエンド部９１における放送信号の復調化や、バックエンド部９２におけるデジタル信号処理、更には、メインメモリー６０に対するアクセスである。なお、場合によっては、図示しない外部入力端子を介した映像・音声信号の受信等も含まれる。
【００２５】
図３は、負荷拡散部９３ｂによる処理の拡散を説明するための図である。図３に示すように、メインＩＣ９０内部で、所定期間Ｔａに、処理Ａ，Ｂ，Ｃ（各処理は、上記したメインＩＣ９０が実行するいずれかの処理を示す。）が連続して実行される場合（図３−Ａ）、負荷拡散部９３ｂは、例えば、処理Ｂ、と処理Ｃの実行タイミングをΔｔだけ遅延させて、メインＩＣ９０における負荷の拡散を図る。その結果、メインＩＣ９０内部に流れる電流Ｉの変動幅が小さくなり、電源電圧ＶＤＤの変動を低減させることが可能となる。
【００２６】
ドライバー８０は、メインＩＣ９０から出力されたビデオデーターをデジタル／アナログ変換して、ビデオデーターが示す階調値に応じた駆動電圧を生成する。また、生成された駆動電圧は表示パネル７０に送られ、この駆動電圧により画面を構成する各画素を駆動させて映像を表示させる。
【００２７】
電源回路４０は、図示しない商用電源等から供給された電源から表示装置１００の各部が駆動するのに必要とされる安定化電源である電源電圧ＶＤＤを生成して出力する。ここで、電源回路４０は、例えば、交流１００ボルトの電源からメインＩＣ９０の駆動に必要な直流５ボルトの電源電圧ＶＤＤを生成し、電源ラインを通じて供給を行う。
【００２８】
検出部５０は、電源回路４０とメインＩＣ９０とを繋ぐ電源ラインに接続されており、この電源ラインに供給される電源電圧ＶＤＤの電圧値を分圧により検出する。ここで、検出部５０は、電源回路４０から供給される電源電圧を抵抗Ｒ１〜Ｒ３、トランジスターＴｒ、及びダイオードＤ１により構成された分圧回路５１、及び分圧回路５１により分圧された電圧値を検出するセンサー５２を備えて構成される。また、センサー５２の出力側は、メインＩＣ９０のＡＤポートに接続されており、センサー５２が検出した電圧値に相当する検出信号をメインＩＣ９０に出力する。上記構成とすることで、電源回路４０から供給される電源電圧ＶＤＤの値が大きい場合でも、メインＩＣ９０が処理を行なうことができ電圧値（例えばＤＣ５ボルト）まで電圧値を変換することができる。
【００２９】
（３）表示装置１００の具体的な作用について：
図４は、表示装置１００における全体処理の流れを説明するためのフローチャートである。ユーザーが表示装置１００のメイン電源を投入すると、ステップＳ１では、電源回路４０から各回路に電源が供給される。また、ステップＳ２では、メインＩＣ９０はＲＯＭに記録されたプログラム等をもとに表示装置１００の初期化を行い、表示装置１００の各部を起動させる。
【００３０】
ステップＳ３では、検出部５０は、電源ラインを流れる電源電圧ＶＤＤの監視を開始する。そのため、検出部５０から出力される検出信号によりメインＩＣ９０は、常時、メインＩＣ９０に供給される電源電圧ＶＤＤの変動を判定する。即ち、ステップＳ４において、変動状態判定部９３ａは、所定周期で、検出部５０から出力される検出信号を閾値Ｔｈと比較する。
【００３１】
検出部５０から出力された検出信号が閾値Ｔｈ以上である場合（ステップＳ４：ＹＥＳ）、電源電圧ＶＤＤが所定の変動幅を上回ったと見なすことができるため、ステップＳ５では、負荷拡散部９３ｂはメインＩＣ９０により現在実行中の複数の処理を拡散させて実行する。そのため、図３に示すように、メインＩＣ９０が処理Ａ，Ｂ，Ｃを一定周期Ｔａで順次実行（場合によっては並列で実行）している場合、各処理Ｂ，Ｃの実行タイミングを遅延して実行することで、メインＩＣ９０の処理負荷を軽減する（図３−Ｂ）。
【００３２】
また、ステップＳ５における処理の過程で、検出部５０から出力される検出信号が閾値Ｔｈを下回る場合は（ステップＳ６：ＹＥＳ）、電源電圧ＶＤＤの変動が所定の変動幅を下回ったと見なすことができるため、ステップＳ７において、負荷拡散部９３ｂは拡散させた処理を通常の処理状態に戻す。
ここで、処理タイミングを元に戻すとは、メインＩＣ９０が処理するＡ，Ｂ，Ｃの処理において（図３）、Ａの処理実行中に電源電圧ＶＤＤの変動が収束すると、Ｂ、Ｃの処理タイミングを元に戻す（Δｔだけ前に戻す）ことを意味する。電源電圧ＶＤＤの変動は、電流Ｉの変動時に一時的に生じる場合が多いため、すでに電源電圧ＶＤＤの変動が収束した場合には、処理負荷を拡散させておく必要がないためである。この場合、Ｂの処理タイミングで電源電圧ＶＤＤの変動が収束した場合は、Ｃの処理タイミングを元に戻すこととなる。上記構成とすることで、処理に要する時間と、出力信号の補償とをバランスよく実行することができる。
【００３３】
一方、ステップＳ４において、検出部５０から出力された検出信号の値が閾値Ｔｈ以下である場合（ステップＳ４：ＮＯ）、電源電圧ＶＤＤの変動は所定の変動幅以下であるため、負荷拡散部９３ｂはメインＩＣ９０により現在実行される処理のタイミングを拡散させることなく処理を実行させる（ステップＳ８）。
【００３４】
以上説明したように、本実施形態に係る表示装置１００では、メインＩＣ（信号処理デバイス）の処理負荷が集中する期間に検出部５０が電源電圧ＶＤＤの変動を検出すると、制御部９３は検出された電圧値をもとに電源電圧ＶＤＤの電圧変動状態を判定し、判定した電圧変動が所定の閾値以上である場合は、メインＩＣにおける処理タイミングを拡散させる。そのため、メインＩＣ９０側の内部処理により処理タイミングを拡散させることでメインＩＣの処理負荷の集中を緩和し、電源電圧ＶＤＤの電圧変動を低減させることができる。また、メインＩＣ９０は、ビデオデーターに対して処理を行なうため、本実施形態にかかる処理を適用することにより、ビデオデーターにより生成される映像の画質を一定に保つことができる。
【００３５】
２．その他の実施形態：
本発明は様々な実施形態が存在する。
信号処理デバイスとしてメインＩＣ９０を用いることは一例であり、デジタル信号とアナログ信号の両者を処理する回路であればどのような回路であってもよい。
また、メインＩＣ９０が各処理のタイミングを拡散させる手法としては、様々なものが想定され、上記実施形態に限定されない。
【００３６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３７】
４０…電源回路、５０…検出部、５１…分圧回路、５２…センサー、６０…メインメモリー、７０…表示パネル、８０…ドライバー、９０…メインＩＣ、９１…フロントエンド部、９２…バックエンド部、９３…制御部、９３ａ…変動状態判定部、９３ｂ…負荷拡散部、１００…表示装置
【図１】
2011227812.tif 000003
【図２】
2011227812.tif 000004
【図３】
2011227812.tif 000005
【図４】
2011227812.tif 000006
【図５】
2011227812.tif 000007